(57)【要約】【課題】液晶表示部の視認性の向上と、消費電力の削減と、の両方を実現することができるリモコン装置を提供することを目的とする。【解決手段】トイレルームの壁面に設置可能とされ衛生洗浄装置を操作可能なリモコン装置であって、前面に設けられた液晶表示部と、上面に設けられ光透過性部材で形成されて使用者の操作により上下方向に移動する操作釦と、前記操作釦の押し下げ操作により操作される接点が固定された操作基板と、前記リモコン装置の内部に設けられ前記操作釦を透過した外部光を前記液晶表示部へ導く導光路と、を備え、前記操作基板は、前記操作基板の実装面が前記リモコン装置の上下方向と平行の状態で、前記リモコン装置の内部に配置されたことを特徴とするリモコン装置が提供される。【選択図】図２
2014047507.tif 000002
【特許請求の範囲】
【請求項１】
トイレルームの壁面に設置可能とされ衛生洗浄装置を操作可能なリモコン装置であって、
前面に設けられた液晶表示部と、
上面に設けられ光透過性部材で形成されて使用者の操作により上下方向に移動する操作釦と、
前記操作釦の押し下げ操作により操作される接点が固定された操作基板と、
前記リモコン装置の内部に設けられ前記操作釦を透過した外部光を前記液晶表示部へ導く導光路と、
を備え、
前記操作基板は、前記操作基板の実装面が前記リモコン装置の上下方向と平行の状態で、前記リモコン装置の内部に配置されたことを特徴とするリモコン装置。
【請求項２】
前記操作釦は、前記リモコン装置の後面の側を軸として回転可能であり、
前記操作基板は、前記リモコン装置の前面の側であって前記導光路の外部に配置されたことを特徴とする請求項１記載のリモコン装置。
【請求項３】
前記操作釦は、プリズム形状およびレンズ形状の少なくともいずれかの形状を有することを特徴とする請求項１または２に記載のリモコン装置。
【請求項４】
前記導光路の内面は、反射面とされたことを特徴とする請求項１〜３のいずれか１つに記載のリモコン装置。
【請求項５】
前記液晶表示部を照射するＬＥＤをさらに備えたことを特徴とする請求項４記載のリモコン装置。
【請求項６】
前記ＬＥＤは、前記リモコン装置の前面の側に配置され、
前記ＬＥＤから放射された光は、前記反射面において反射され前記液晶表示部を照射することを特徴とする請求項５記載のリモコン装置。
【発明の詳細な説明】
【技術分野】
【０００１】
本発明の態様は、一般的に、リモコン装置に関し、具体的には、トイレルームに設置される衛生洗浄装置などを操作可能なリモコン装置に関する。
【背景技術】
【０００２】
例えば衛生洗浄装置などを操作可能なリモコン装置として、液晶表示部を備えたものがある。また例えば、液晶表示部の視認性の向上と、消費電力の削減と、の両方を実現するために、液晶表示器に外部光を反射する集光反射板を設けた反射板付リモコンがある（特許文献１）。しかし、特許文献１に記載された反射板付リモコンは、液晶表示器の前面に集光反射板が設けられた構造を有するため、集光反射板が使用者のリモコン操作の弊害となる場合がある。また、使用者の手が、リモコン操作中に外部光と集光反射板との間に介在すると、外部光を効率良く液晶表示器に反射させることができない場合がある。
【０００３】
これに対して、導光板の端面を外光入射窓からの外光が入射する外光入射面とした液晶表示装置がある（特許文献２）。しかし、特許文献２に記載された技術を衛生洗浄装置などのリモコン装置に適用しようとすると、問題が生ずる。すなわち、一般的に、衛生洗浄装置のリモコン装置の天面部には、操作部が設けられている。また、操作部の下方であってリモコン装置の内部には、操作部と連動したスイッチ構造や、操作部と略平行に配置された基板などが設けられている。そのため、リモコン装置の天面部から外光を採光しようとすると、操作部が光透過性の部材で形成されていても、スイッチ構造の各部材や基板などにより外部光が遮られ、外部光を効率よく採光できないという問題がある。
【先行技術文献】
【特許文献】
【０００４】
【特許文献１】特開平４−２１０７４２号公報
【特許文献２】特開平１０−１４２５９９号公報
【発明の概要】
【発明が解決しようとする課題】
【０００５】
本発明は、かかる課題の認識に基づいてなされたものであり、液晶表示部の視認性の向上と、消費電力の削減と、の両方を実現することができるリモコン装置を提供することを目的とする。
【課題を解決するための手段】
【０００６】
第１の発明は、トイレルームの壁面に設置可能とされ衛生洗浄装置を操作可能なリモコン装置であって、前面に設けられた液晶表示部と、上面に設けられ光透過性部材で形成されて使用者の操作により上下方向に移動する操作釦と、前記操作釦の押し下げ操作により操作される接点が固定された操作基板と、前記リモコン装置の内部に設けられ前記操作釦を透過した外部光を前記液晶表示部へ導く導光路と、を備え、前記操作基板は、前記操作基板の実装面が前記リモコン装置の上下方向と平行の状態で、前記リモコン装置の内部に配置されたことを特徴とするリモコン装置である。
【０００７】
このリモコン装置によれば、リモコン装置の内部において、導光路をより大きく確保することができる。そのため、外部光を効率的に液晶表示部へ導くことができる。その結果、液晶表示部の視認性の向上と、消費電力の削減と、の両方を実現することができる。
【０００８】
第２の発明は、第１の発明において、前記操作釦は、前記リモコン装置の後面の側を軸として回転可能であり、前記操作基板は、前記リモコン装置の前面の側であって前記導光路の外部に配置されたことを特徴とするリモコン装置である。
【０００９】
このリモコン装置によれば、操作基板がリモコン装置の内部の前方の側であって導光路の外部に配置されているため、導光路をより大きく確保することができるとともに、操作基板が導光を邪魔することを抑えることができる。あるいは、操作基板が外部光を遮ることを抑えることができる。そのため、操作釦を透過した外部光をより効率的に液晶表示部へ導くことができる。その結果、液晶表示部の視認性の向上と、消費電力の削減と、の両方を実現することができる。
【００１０】
第３の発明は、第１または第２の発明において、前記操作釦は、プリズム形状およびレンズ形状の少なくともいずれかの形状を有することを特徴とするリモコン装置である。
【００１１】
このリモコン装置によれば、プリズム形状およびレンズ形状の少なくともいずれかの形状による光の集光作用を利用して、外部光を導光路に効率的に取り入れることができる。その結果、液晶表示部の視認性の向上と、消費電力の削減と、の両方を実現することができる。
【００１２】
第４の発明は、第１〜第３のいずれか１つの発明において、前記導光路の内面は、反射面とされたことを特徴とするリモコン装置である。
【００１３】
このリモコン装置によれば、導光路の内面は、反射面とされているため、導光路に導かれた光をより確実に液晶表示部へ導くことができる。その結果、液晶表示部の視認性の向上と、消費電力の削減と、の両方を実現することができる。
【００１４】
第５の発明は、第４の発明において、前記液晶表示部を照射するＬＥＤをさらに備えたことを特徴とするリモコン装置である。
【００１５】
このリモコン装置によれば、ＬＥＤから放射された光と、操作釦を透過した外部光と、により、液晶表示部の視認性のさらなる向上を実現することができる。また、ＬＥＤから放射され内面において反射した光は、操作釦を透過してリモコン装置の外部へ放射される。これにより、操作釦の視認性を向上させることができる。
【００１６】
第６の発明は、第５の発明において、前記ＬＥＤは、前記リモコン装置の前面の側に配置され、前記ＬＥＤから放射された光は、前記反射面において反射され前記液晶表示部を照射することを特徴とするリモコン装置である。
【００１７】
このリモコン装置によれば、ＬＥＤは、ＬＥＤから放射された光が直接的に液晶表示部へ向かって照射される位置に配置されているわけではない。そのため、ＬＥＤは、操作釦を透過し導光路に導かれた外部光が液晶表示部へ向かって照射される内面の近傍に配置されるわけではない。すなわち、ＬＥＤは、間接照明の光源として液晶表示部の裏面を照射する。つまり、ＬＥＤは、液晶表示部の裏面を直接照射する位置にないため、導光路において集光された外部光に対して影を作ることがない。そのため、ＬＥＤは、導光路においてせっかく集光された外部光が液晶表示部に照射される際に、その照射を邪魔することを抑えることができる。その結果、液晶表示部の視認性の向上と、消費電力の削減と、の両方を実現することができる。
【発明の効果】
【００１８】
本発明の態様によれば、液晶表示部の視認性の向上と、消費電力の削減と、の両方を実現することができるリモコン装置が提供される。
【図面の簡単な説明】
【００１９】
【図１】本発明の実施の形態にかかるリモコン装置を表す模式的平面図である。
【図２】図１（ａ）および図１（ｂ）に表した切断面Ａ−Ａにおける模式的断面図である。
【図３】本実施形態の操作釦の近傍を拡大して眺めた模式的断面図である。
【図４】本実施形態にかかるリモコン装置を後方から眺めた模式的平面図である。
【図５】本実施形態の変形例にかかるリモコン装置を後方から眺めた模式的平面図である。
【図６】本実施形態の液晶表示部の近傍を拡大して眺めた模式的断面図である。
【図７】本実施形態にかかるリモコン装置が設置されたトイレルームを例示する模式的平面図である。
【図８】本実施形態にかかるリモコン装置を後方から眺めた模式的平面図である。
【図９】本実施形態にかかるリモコン装置が固定具に取り付けられた状態を表す模式的平面図である。
【図１０】本発明の他の実施の形態にかかるリモコン装置を表す模式的断面図である。
【図１１】本実施形態の操作釦の変形例を例示する模式的断面図である。
【図１２】本実施形態の導光路における光の進行状態の一例を例示する模式的断面図である。
【図１３】本発明のさらに他の実施の形態にかかるリモコン装置を表す模式的断面図である。
【図１４】本実施形態の変形例にかかるリモコン装置を表す模式的断面図である。
【図１５】本実施形態の操作釦を表す模式的断面図である。
【図１６】本実施形態の導光路における光の進行状態の一例を例示する模式的断面図である。
【発明を実施するための形態】
【００２０】
以下、本発明の実施の形態について図面を参照しつつ説明する。なお、各図面中、同様の構成要素には同一の符号を付して詳細な説明は適宜省略する。  
図１は、本発明の実施の形態にかかるリモコン装置を表す模式的平面図である。  
図２は、図１（ａ）および図１（ｂ）に表した切断面Ａ−Ａにおける模式的断面図である。  
なお、図１（ａ）は、本実施形態にかかるリモコン装置を上方から眺めた模式的平面図である。図１（ｂ）は、本実施形態にかかるリモコン装置を前方から眺めた模式的平面図である。図２（ａ）は、操作釦が押される前のリモコン装置の状態を表す模式的断面図である。図２（ｂ）は、操作釦が押された後のリモコン装置の状態を表す模式的断面図である。
【００２１】
本実施形態にかかるリモコン装置１００は、例えばトイレルームなどの壁面に設置可能とされてなる。例えば、図２に表したように、リモコン装置１００は、トイレルームなどの壁面に固定された固定具２１０に取り付けられ、壁面に設置されている。なお、本実施形態では、リモコン装置１００が、洋式腰掛便器（以下説明の便宜上、単に「便器」と称する）に腰掛けた使用者の「おしり」などを水で洗浄する衛生洗浄装置のリモコン装置である場合を例に挙げて説明する。
【００２２】
図２に表したように、本実施形態のリモコン装置１００は、前ケース１１０と、後ケース１２０と、を備える。  
ここで、本願明細書では、壁面に設置された状態のリモコン装置１００において、床面に対して平行な水平方向であって使用者がリモコン装置を使用する側を「前方」とし、壁面の側を「後方」とする。また、壁面に設置された状態のリモコン装置１００において、床面に対して垂直な鉛直方向であって使用者からみて上方を「上方」とし、下方を「下方」とする。
【００２３】
図１に表したように、リモコン装置１００の上面部には、操作釦１３０が設けられている。また、リモコン装置１００の前面部には、操作スイッチ１４０と、液晶表示部１５０と、が設けられている。図２に表したように、リモコン装置１００の内部において操作釦１３０の下方には、操作基板１６１が設けられている。操作基板１６１は、例えばねじなどの締結部材により前ケース１１０に適宜固定されている。また、リモコン装置１００の内部において操作スイッチ１４０の後方には、スイッチ基板１６３が設けられている。スイッチ基板１６３は、例えばねじなどの締結部材により前ケース１１０に適宜固定されている。
【００２４】
操作釦１３０は、光を透過可能な部材で形成され、使用者の操作により上下方向に移動することができる。これについては、後に詳述する。  
操作釦１３０は、例えば、便器（図示せず）に「大洗浄」の洗浄水を流す「大」釦１３１や、便器に「小洗浄」の洗浄水を流す「小」釦１３２や、便座（図示せず）及び便蓋（図示せず）を電動で閉じた状態にする「閉じ」釦１３３や、便座を電動で閉じた状態にし且つ便蓋を電動で開いた状態にする「便蓋」釦１３４や、便座及び便蓋を電動で開いた状態にする「便座」釦１３５などを有する。但し、操作釦１３０が有する各種釦は、これだけに限定されるわけではない。
【００２５】
操作スイッチ１４０は、例えば、局部洗浄動作や局部乾燥動作などの動作を停止させる「止」スイッチ（停止スイッチ）１４１や、「おしり」に向けて吐水させる「おしり」スイッチ１４２や、吐水に広がりを与える「やわらか」スイッチ１４３や、ビデ洗浄を実行させる「ビデ」スイッチ１４４などを有する。また、操作スイッチ１４０は、例えば、吐水の位置を前後に変更する「洗浄位置」スイッチ１４５、１４６や、吐水の水勢を変更する「水勢」スイッチ１４７、１４８などを有する。但し、操作スイッチ１４０が有する各種スイッチは、これだけに限定されるわけではない。
【００２６】
液晶表示部１５０は、例えば、吐水の位置や吐水の水勢などの衛生洗浄装置の設定状態や、時刻などを表示することができる。液晶表示部１５０は、液晶カバー１５１と、透過型の液晶表示板１５３と、を有する。液晶表示板１５３は、前ケース１１０に設けられた液晶保持部１５５に保持されている。
【００２７】
ここで、リモコン装置１００に対して、液晶表示部１５０の視認性の向上と、消費電力の削減と、の両方の実現が望まれている。  
本実施形態にかかるリモコン装置１００は、光透過性部材により形成された操作釦１３０を透過した外部光を、リモコン装置１００の内部に取り入れ液晶表示部１５０へ導くことができる。具体的には、図２に表したように、リモコン装置１００の内部には、導光路１７０が設けられている。導光路１７０は、操作釦１３０を透過した光を液晶表示部１５０へ導くことができる。
【００２８】
但し、操作釦１３０が光透過性の部材により形成されていても、操作釦１３０の下方に設けられた操作基板１６１が外部光を遮ると、操作釦１３０から外部光を効率よく採光することができない。すると、液晶表示部１５０の視認性の向上と、消費電力の削減と、の両方を実現することが困難となる。
【００２９】
これに対して、本実施形態にかかるリモコン装置１００では、図２に表したように、操作基板１６１の主面（実装面）は、リモコン装置１００の上下方向と略平行になっている。言い換えれば、操作基板１６１は、主面（実装面）の法線方向が略前方あるいは略後方を向いている。また、操作基板１６１の側面（実装面に略直交する基板の切断面）の法線方向が略上下方向あるいは略左右方向を向いている。さらに、操作基板１６１は、リモコン装置１００の内部の前方（前面）の側であって導光路１７０の外部に配置されている。言い換えれば、操作基板１６１は、導光路１７０よりも前方の側に配置されている。あるいは、導光路１７０は、操作基板１６１よりも後方（後面）の側に配置されている。
【００３０】
これによれば、リモコン装置１００の内部において、導光路１７０をより大きく確保することができる。そのため、外部光を効率的に液晶表示部１５０へ導くことができる。その結果、液晶表示部１５０の視認性の向上と、消費電力の削減と、の両方を実現することができる。
【００３１】
また、操作基板１６１がリモコン装置１００の内部の前方の側であって導光路１７０の外部に配置されているため、導光路１７０をより大きく確保することができるとともに、操作基板１６１が導光を邪魔することを抑えることができる。あるいは、操作基板１６１が外部光を遮ることを抑えることができる。そのため、操作釦１３０を透過した外部光をより効率的に液晶表示部１５０へ導くことができる。その結果、液晶表示部１５０の視認性の向上と、消費電力の削減と、の両方を実現することができる。
【００３２】
図２に表したように、操作基板１６１の主面には、サイドプッシュスイッチ１６５が設けられている。サイドプッシュスイッチ１６５は、キートップ１６５ａを有する。キートップ１６５ａは、操作釦１３０の押し下げ操作によって操作される。すなわち、操作釦１３０は、後方部に設けられた軸１３９を略中心として回転可能な構造を有する。使用者等が図２（ａ）に表した状態の操作釦１３０を押し下げると、図２（ｂ）に表したように、操作釦１３０は、軸１３９を略中心として回転する。そして、操作釦１３０の前方部が下方へ移動する。これにより、キートップ１６５ａは、操作釦１３０の押し下げ操作によって操作される。なお、使用者等が操作釦１３０を押し下げる力を解除すると、操作釦１３０は、軸１３９を略中心として回転し、図２（ａ）に表した状態へ戻る。
【００３３】
図２に表したように、スイッチ基板１６３の主面には、タクトスイッチ１６７が設けられている。タクトスイッチ１６７は、操作スイッチ１４０の押し込み操作によって操作される。スイッチ基板１６３およびタクトスイッチ１６７は、リモコン装置１００の内部の前方の側であって導光路１７０の外部に配置されている。そのため、導光路１７０をより大きく確保することができるとともに、スイッチ基板１６３およびタクトスイッチ１６７が導光を邪魔することを抑えることができる。あるいは、スイッチ基板１６３およびタクトスイッチ１６７が外部光を遮ることを抑えることができる。
【００３４】
次に、導光路が外部光を液晶表示部へ導くことについて、図面を参照しつつさらに説明する。  
図３は、本実施形態の操作釦の近傍を拡大して眺めた模式的断面図である。  
図４は、本実施形態にかかるリモコン装置を後方から眺めた模式的平面図である。  
図５は、本実施形態の変形例にかかるリモコン装置を後方から眺めた模式的平面図である。  
図６は、本実施形態の液晶表示部の近傍を拡大して眺めた模式的断面図である。  
図７は、本実施形態にかかるリモコン装置が設置されたトイレルームを例示する模式的平面図である。  
なお、図３および図６は、図１（ａ）および図１（ｂ）に表した切断面Ａ−Ａにおける模式的断面図である。図４および図５は、後ケース１２０を省略し、後方からみたときのリモコン装置の内部構造を表している。
【００３５】
図３に表したように、例えばトイレルームなどの照明２９０から放射された光（外部光）は、直接的あるいはトイレルームなどの壁面２２０において反射して間接的に、操作釦１３０に入射する。図１および図２に関して前述したように、操作釦１３０は、光透過性部材により形成されている。そのため、操作釦１３０に入射した外部光は、操作釦１３０を透過しリモコン装置１００の内部に進入する。そして、リモコン装置１００の内部に進入した外部光は、導光路１７０へ導かれる。
【００３６】
このとき、図２に関して前述したように、操作基板１６１の主面（実装面）は、リモコン装置１００の上下方向と略平行になっている。また、操作基板１６１は、リモコン装置１００の内部の前方の側であって導光路１７０の外部に配置されている。そのため、リモコン装置１００の内部において、導光路１７０は、より大きく確保されている。そのため、外部光は、効率的に導光路１７０へ導かれる。
【００３７】
図４に表したように、導光路１７０へ導かれた外部光は、導光路１７０の内面１７１において反射して液晶表示部１５０へ導かれる。ここで、導光路１７０の内面１７１は、光を反射可能な反射面として形成されている。導光路１７０の内面１７１には、例えば銀などが蒸着されている。そのため、導光路１７０の内面１７１は、操作釦１３０を透過し導光路１７０に導かれた光を、より確実に液晶表示部１５０へ導くことができる。
【００３８】
図６に表したように、液晶表示部１５０の液晶表示板１５３の光入射側には、拡散板１５７が設けられている。拡散板１５７は、入射した光の強度を略均一にすることができ、光の強度のムラを抑えることができる。拡散板１５７を透過した外部光は、光の強度が略均一化された状態で液晶表示板１５３に入射する。  
また、本実施形態にかかるリモコン装置１００では、操作釦１３０は、液晶表示部１５０よりも上方に設けられている。そのため、図７に表したように、操作釦１３０の操作面は、液晶表示部１５０の表示面と比較して、より多くの外部光を受けることができる。すなわち、トイレルームの天井に設けられた照明２９０が発する照明光に対しては、図７に表した矢印Ａ１のように、操作釦１３０の操作面は、照明光の進行方向と略直交する。これに対し、図７に表した矢印Ａ２のように、液晶表示部１５０の表示面は、照明光の進行方向と略平行となる。そのため、操作釦１３０の操作面は、液晶表示部１５０の表示面よりも効率的に外部光を集光できる。  
更に、操作基板１６１の主面（実装面）は、リモコン装置１００の上下方向と略平行かつ、内部の前方（前面）の側に配置しているので、外部光が導光路１７０へ導かれる入口（間口）をより大きく確保することができる。これにより、導光路１７０へ導かれた外部光は、光の強度が略均一化された状態で液晶表示板１５３に入射する。
【００３９】
なお、図６に表したように、導光路１７０の一端は、液晶保持部１５５に保持されている。但し、導光路１７０の一端の保持箇所は、これだけに限定されず、導光路１７０へ導かれた外部光の漏れを抑制できる限りにおいて液晶保持部１５５とは異なる導光路保持部に保持されていてもよい。
【００４０】
本実施形態によれば、リモコン装置１００の内部において、導光路１７０をより大きく確保することができる。そのため、外部光を効率的に液晶表示部１５０へ導くことができる。その結果、液晶表示部１５０の視認性の向上と、消費電力の削減と、の両方を実現することができる。また、その他の効果についても、図１および図２に関して前述した効果が得られる。
【００４１】
図２および図４に表したように、リモコン装置１００の内部には、液晶表示部１５０を照射するＬＥＤ（Light Emitting Diode）１８１が設けられている。ＬＥＤ１８１から放射された光は、導光路１７０の内面１７１において反射して液晶表示部１５０へ導かれる。  
これによれば、ＬＥＤ１８１から放射された光と、操作釦１３０を透過した外部光と、の相乗効果により、液晶表示部１５０の視認性のさらなる向上を実現することができる。また、ＬＥＤ１８１から放射され内面１７１において反射した光は、操作釦１３０を透過してリモコン装置１００の外部へ放射される。これにより、操作釦１３０の視認性を向上させることができる。
【００４２】
また、図２に表したように、ＬＥＤ１８１は、リモコン装置１００の内部において前方の側に配置されている。ＬＥＤ１８１から放射された光は、内面１７１において反射し液晶表示部１５０を照射する。  
これによれば、ＬＥＤ１８１は、ＬＥＤ１８１から放射された光が直接的に液晶表示部１５０へ向かって照射される位置に配置されているわけではない。そのため、ＬＥＤ１８１は、操作釦１３０を透過し導光路１７０に導かれた外部光が液晶表示部１５０へ向かって照射される内面１７１の近傍に配置されるわけではない。すなわち、ＬＥＤ１８１は、間接照明の光源として液晶表示部１５０の裏面を照射する。つまり、ＬＥＤ１８１は、液晶表示部１５０の裏面を直接照射する位置にないため、導光路１７０において集光された外部光に対して影を作ることがない。そのため、ＬＥＤ１８１は、導光路１７０においてせっかく集光された外部光が液晶表示部１５０に照射される際に、その照射を邪魔することを抑えることができる。その結果、液晶表示部１５０の視認性の向上と、消費電力の削減と、の両方を実現することができる。
【００４３】
なお、図５に表した変形例にかかるリモコン装置のように、導光路１７０の内面１７１において反射する外部光の光路外にＬＥＤ１８１が設けられている場合には、ＬＥＤ１８１が外部光の液晶表示部１５０への照射を邪魔することをさらに抑えることができる。
【００４４】
図４および図５に表したように、リモコン装置１００の上部の両端部には、リモコン送信ＬＥＤ１８３が設けられている。リモコン送信ＬＥＤ１８３は、操作スイッチ１４０に基づいて例えば赤外線などの無線信号を送信する。図１に表したように、リモコン送信ＬＥＤ１８３の上部には、透過窓１１１が設けられている。リモコン送信ＬＥＤ１８３から送信された操作信号は、透過窓１１１を透過して衛生洗浄装置へ送信される。つまり、本実施形態のリモコン装置１００は、リモコン送信ＬＥＤ１８３から透過窓１１１を介して外部へ送信された無線信号により衛生洗浄装置を操作可能である。
【００４５】
図８は、本実施形態にかかるリモコン装置を後方から眺めた模式的平面図である。  
図９は、本実施形態にかかるリモコン装置が固定具に取り付けられた状態を表す模式的平面図である。
【００４６】
図８に表したように、後ケース１２０は、例えばねじなどの締結部材１２９により前ケース１１０と締結されている。後ケース１２０は、略中央部に設けられた嵌合部１２１を有する。  
図９に表したように、固定具２１０は、ねじ穴２１３と、係合部２１１と、を有する。固定具２１０は、ねじ穴２１３を通して壁面に締結されたねじなどの締結部材により壁面に固定されている。後ケース１２０の嵌合部１２１を固定具２１０の係合部２１１に係合させることで、リモコン装置１００の後ケース１２０は、トイレルームなどの壁面に固定された固定具２１０に取り付けられる。これにより、リモコン装置１００は、トイレルームなどの壁面に設置される。
【００４７】
次に、本発明の他の実施の形態について、図面を参照しつつ説明する。  
図１０は、本発明の他の実施の形態にかかるリモコン装置を表す模式的断面図である。  図１１は、本実施形態の操作釦の変形例を例示する模式的断面図である。  
図１２は、本実施形態の導光路における光の進行状態の一例を例示する模式的断面図である。  
なお、図１０〜図１２は、図１（ａ）および図１（ｂ）に表した切断面Ａ−Ａにおける模式的断面図に相当する。
【００４８】
図１０（ａ）および図１０（ｂ）に表したように、本発明の他の実施の形態にかかるリモコン装置１００ａは、プリズム形状の操作釦１３０ａを備える。図１１（ａ）に表したように、本実施形態の操作釦１３０ａは、リモコン装置１００ａに取り付けられた状態において下部に設けられたプリズム部１３１ａを有する。その他のリモコン装置１００ａの構造は、図１〜図９に関して前述した実施形態にかかるリモコン装置１００の構造と同様である。なお、図１０（ａ）および図１０（ｂ）に表したように、操作基板１６１およびスイッチ基板１６３は、一体的に形成されていてもよい。
【００４９】
使用者等が図１０（ａ）に表した状態の操作釦１３０ａを押し下げると、図１０（ｂ）に表したように、操作釦１３０ａは、後ケース１２０の側を略中心として回転する。そして、操作釦１３０ａの前方部が下方へ移動する。これにより、キートップ１６５ａは、操作釦１３０ａの押し下げ操作によって操作される。
【００５０】
図１２に表したように、操作釦１３０ａに入射した外部光は、操作釦１３０ａを透過し導光路１７０へ導かれる。ここで、壁面２２０は、トイレルームの壁面である。また、外部光は、壁面２２０と全く平行の光（鉛直方向の光）ではない。そのため、図１２に表したように、壁面２２０よりもトイレルームの内側、すなわちリモコン装置１００ａからみて前方の斜め上方向からの光が強くなる。これは、トイレルームに限らず、室内の構造と照明の位置から、明らかである。このとき、操作釦１３０ａがプリズム形状を有するため、操作釦１３０ａを透過し導光路１７０へ導かれた外部光は、操作釦１３０ａのプリズム作用により屈折する。具体的には、リモコン装置１００ａの斜め上方からの傾いた光は、鉛直方向に近づくように方向を変え、導光路１７０の内面１７１と略平行に上方から下方へ進行する。また、導光路１７０の内部を進行する外部光が導光路１７０の内面１７１と略平行に進行するため、外部光が内面１７１において反射するときの反射角度は、比較的小さい。そのため、導光路１７０の内部を進行する外部光は、導光路１７０の内面１７１において反射しても、導光路１７０の内面１７１と略平行に上方から下方へ進行する。更に、内面１７１における反射する回数も少なくなる。よって、内面１７１の反射による外部光の減衰が軽減される。そして、図１２に表したように、導光路１７０の内部を進行した外部光は、略前方へすなわち液晶表示部１５０の液晶表示板１５３に対して略垂直方向へ進行する。
【００５１】
本実施形態によれば、プリズム形状による光の屈折作用を利用して、外部光を導光路１７０に効率的に取り入れることができる。そして、導光路１７０を進行した外部光を略前方へ効率的に放射させることができる。その結果、液晶表示部１５０の視認性の向上と、消費電力の削減と、の両方を効率的に実現することができる。
【００５２】
操作釦のプリズム形状は、図１０（ａ）、図１０（ｂ）、および図１１（ａ）に表した形状に限定されるわけではない。例えば、図１１（ｂ）に表した操作釦１３０ｂのように、複数のプリズム部１３１ｂが設けられていてもよい。これによれば、図１１（ａ）に表した操作釦１３０ａに関して前述した効果を得ることができるとともに、リモコン装置１００の外部からＬＥＤ１８１などの内部収納部材を見にくくすることができ、意匠性の向上にも効果がある。また、ＬＥＤ１８１から放射された光やリモコン送信ＬＥＤ１８３から送信された信号を、前方へ放出しやすくすることができる。
【００５３】
あるいは、図１１（ｃ）に表した操作釦１３０ｃのように、プリズム部１３１ｃは、リモコン装置１００ａに取り付けられた状態における操作釦１３０ｃの上部に設けられていてもよい。これによれば、図１１（ａ）に表した操作釦１３０ａに関して前述した効果を得ることができるとともに、操作釦１３０ｃを操作する手や指などの引っ掛かりを向上させ操作性を向上させることができる。
【００５４】
図１３は、本発明のさらに他の実施の形態にかかるリモコン装置を表す模式的断面図である。  
図１４は、本実施形態の変形例にかかるリモコン装置を表す模式的断面図である。  
図１５は、本実施形態の操作釦を表す模式的断面図である。  
図１６は、本実施形態の導光路における光の進行状態の一例を例示する模式的断面図である。  
なお、図１５（ａ）、図１５（ｂ）、および図１６は、図１３に表した切断面Ｂ−Ｂあるいは図１４に表した切断面Ｃ−Ｃにおける模式的断面図である。
【００５５】
図１３および図１４に表したように、本発明のさらに他の実施の形態にかかるリモコン装置１００ｂ、１００ｃは、レンズ形状の操作釦１３０ｄ、１３０ｅをそれぞれ備える。レンズ形状は、図１３に表した操作釦１３０ｄのような球面レンズであってもよいし、図１４に表した操作釦１３０ｅのようなシリンドリカルレンズであってもよい。
【００５６】
以下では、球面レンズを有する操作釦１３０ｄを例に挙げて説明する。なお、シリンドリカルレンズを有する操作釦１３０ｅの作用および効果は、以下の球面レンズを有する操作釦１３０ｄの作用および効果とそれぞれ同様である。
【００５７】
図１５（ａ）に表したように、操作釦１３０ｄは、リモコン装置１００ｂに取り付けられた状態において、上部に設けられたレンズ部１３３ｄと、下部に設けられたプリズム部１３１ｄと、を有する。その他のリモコン装置１００ｂの構造は、図１〜図９に関して前述した実施形態にかかるリモコン装置１００の構造と同様である。
【００５８】
図１６に表したように、操作釦１３０ｄに入射した外部光は、操作釦１３０ｄを透過し導光路１７０へ導かれる。このとき、操作釦１３０ｄが上部にレンズ形状を有するため、レンズの集光作用により、より広い角度から外部光が集められ導光路１７０へ導かれる。操作釦１３０ｄを透過し導光路１７０へ導かれた外部光は、導光路１７０の内部において集光する。また、操作釦１３０ｄが下部にプリズム形状を有するため、操作釦１３０ｄを透過し導光路１７０へ導かれた外部光は、導光路１７０の内面１７１と略平行に上方から下方へ進行する。そのため、導光路１７０の内部を進行する外部光が導光路１７０の内面１７１と反射する回数は、抑えられる。そのため、導光路１７０の内部を進行する外部光は、導光路１７０の上方から下方へ効率的に進行する。そして、図１６に表したように、導光路１７０の内部を進行した外部光は、略前方へすなわち液晶表示部１５０の液晶表示板１５３に対して略垂直方向へ進行する。
【００５９】
本実施形態によれば、レンズ形状およびプリズム形状による光の集光および屈折作用を利用して、外部光を導光路１７０に効率的に取り入れることができる。そして、導光路１７０を進行した外部光を略前方へ効率的に放射させることができる。その結果、液晶表示部１５０の視認性の向上と、消費電力の削減と、の両方を効率的に実現することができる。
【００６０】
操作釦のレンズ形状およびプリズム形状は、図１５（ａ）に表した形状に限定されるわけではない。例えば、図１５（ｂ）に表した操作釦１３０ｆのように、リモコン装置１００ｂに取り付けられた状態において、上部にレンズ部１３３ｆが設けられ、下部に複数のプリズム部１３１ｆが設けられていてもよい。これによれば、図１５（ａ）に表した操作釦１３０ｄに関して前述した効果を得ることができるとともに、リモコン装置１００の外部からＬＥＤ１８１を見にくくすることができる。また、ＬＥＤ１８１から放射された光やリモコン送信ＬＥＤ１８３から送信された信号を、前方へ放出しやすくすることができる。
【００６１】
なお、本実施形態の操作釦１３０ｄ、１３０ｅ、１３０ｆは、レンズ形状およびプリズム形状を有するが、レンズ形状だけを有していてもよい。すなわち、本実施形態にかかるリモコン装置の操作釦は、レンズ形状およびプリズム形状の少なくともいずれかを有することで、光の集光作用を利用して、外部光を導光路１７０に効率的に取り入れ、導光路１７０を進行した外部光を略前方へ効率的に放射させることができる。
【００６２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、リモコン装置１００、１００ａ〜１００ｃなどが備える各要素の形状、寸法、材質、配置などや操作釦１３０、１３０ａ〜１３０ｆの設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６３】
１００、１００ａ、１００ｂ、１００ｃ リモコン装置、  １１０ 前ケース、  １１１ 透過窓、  １２０ 後ケース、  １２１ 嵌合部、  １２９ 締結部材、  １３０、１３０ａ、１３０ｂ、１３０ｃ、１３０ｄ、１３０ｅ、１３０ｆ 操作釦、  １３１ 「大」釦、  １３１ａ、１３１ｂ、１３１ｃ、１３１ｄ、１３１ｆ プリズム部、  １３２ 「小」釦、  １３３ 「閉じ」釦、  １３３ｄ、１３３ｆ レンズ部、  １３４ 「便蓋」釦、  １３５ 「便座」釦、  １３９ 軸、  １４０ 操作スイッチ、  １４１ 「止」スイッチ、  １４２ 「おしり」スイッチ、  １４３ 「やわらか」スイッチ、  １４４ 「ビデ」スイッチ、  １４５、１４６ 「洗浄位置」スイッチ、  １４７、１４８ 「水勢」スイッチ、  １５０ 液晶表示部、  １５１ 液晶カバー、  １５３ 液晶表示板、  １５５ 液晶保持部、  １５７ 拡散板、  １６１ 操作基板、  １６３ スイッチ基板、  １６５ サイドプッシュスイッチ、  １６５ａ キートップ、  １６７ タクトスイッチ、  １７０ 導光路、  １７１ 内面、  １８１ ＬＥＤ、  １８３ リモコン送信ＬＥＤ、  ２１０ 固定具、  ２１１ 係合部、  ２１３ ねじ穴、  ２２０ 壁面、  ２９０ 照明
【図１】
2014047507.tif 000003
【図２】
2014047507.tif 000004
【図３】
2014047507.tif 000005
【図４】
2014047507.tif 000006
【図５】
2014047507.tif 000007
【図６】
2014047507.tif 000008
【図７】
2014047507.tif 000009
【図８】
2014047507.tif 000010
【図９】
2014047507.tif 000011
【図１０】
2014047507.tif 000012
【図１１】
2014047507.tif 000013
【図１２】
2014047507.tif 000014
【図１３】
2014047507.tif 000015
【図１４】
2014047507.tif 000016
【図１５】
2014047507.tif 000017
【図１６】
2014047507.tif 000018